(57)【要約】【課題】口腔内の健康促進を図ることができると共に口腔内の殺菌を行うことができる口腔洗浄装置を提供する。【解決手段】口腔洗浄装置は、水を電気分解して水素及び塩素を含有する洗浄水を生成する洗浄水発生部と、この洗浄水発生部で生成した洗浄水を口腔内に噴射させるための洗浄水噴射部とを備えている。洗浄水発生部は、遊離塩素濃度が０．３５ｍｇ／Ｌ〜１．０ｍｇ／Ｌの洗浄水を生成するように構成されている。【選択図】図３
2020092862.tif 000002
【特許請求の範囲】
【請求項１】
水を電気分解して水素及び塩素を含有する洗浄水を生成する洗浄水発生部と、該洗浄水発生部で生成した洗浄水を口腔内に噴射させるための洗浄水噴射部とを備えており、前記洗浄水発生部は、遊離塩素濃度が０．３５ｍｇ／Ｌ〜１．０ｍｇ／Ｌの洗浄水を生成するように構成されていることを特徴とする口腔洗浄装置。
【請求項２】
前記洗浄水発生部は、溶存水素濃度が略４３０ｐｐｂ以上の洗浄水を生成するように構成されていることを特徴とする請求項１に記載の口腔洗浄装置。
【請求項３】
前記洗浄水発生部は、溶存水素濃度が略５００ｐｐｂ近傍の洗浄水を生成するように構成されていることを特徴とする請求項２に記載の口腔洗浄装置。
【請求項４】
前記洗浄水発生部は、電気分解用の前記水を収容する容器と、前記容器内に配置された電気分解用の２つの電極と、前記２つの電極に電力を供給する電源部と、前記電源部から供給され、電気分解で消費された消費電力を積算する消費電力積算手段と、前記水の電気分解過程を制御する制御手段とを備えており、前記制御手段は、前記消費電力積算手段による積算結果に基づいて、前記消費電力積算値が予め設定された閾値に到達した際に電気分解動作を停止するように構成されていることを特徴とする請求項１から３のいずれか１項に記載の口腔洗浄装置。
【請求項５】
前記洗浄水発生部の前記制御手段は、前記電気分解動作が停止した後、前記洗浄水噴射部による洗浄水の噴射を許可するように構成されていることを特徴とする請求項４に記載の口腔洗浄装置。
【請求項６】
前記洗浄水発生部は、前記電気分解によって適正水素量の洗浄水が生成されたことを表示する表示手段をさらに備えており、前記制御手段は、前記消費電力積算手段による積算結果に基づいて、前記消費電力が予め設定された閾値に到達した際に、前記表示手段による表示を行うように制御することを特徴とする請求項４又は５に記載の口腔洗浄装置。
【発明の詳細な説明】
【技術分野】
【０００１】
本発明は、口腔内を洗浄するための口腔洗浄装置に関する。
【背景技術】
【０００２】
過酸化水素を含む洗浄水を用いて口腔洗浄を行う口腔洗浄装置は、例えば特許文献１等によって公知である。この特許文献１に記載された口腔洗浄装置は、洗浄水生成タンク内の水中でストリーマ放電することによって水中で過酸化水素を生成するように構成されている。洗浄水が過酸化水素を含むことにより、この種の口腔洗浄装置によれば、口腔内の洗浄及び除菌を共に行うことができる。
【先行技術文献】
【特許文献】
【０００３】
【特許文献１】特許第５５９１６３７号公報
【発明の概要】
【発明が解決しようとする課題】
【０００４】
しかしながら、過酸化水素の水溶液は、殺菌作用は有しているものの、口腔内の歯肉等の健康促進には全く効果がない。また、過酸化水素は、強い殺菌作用を有している劇物であり、水溶液の濃度を確実に管理することが求められる。
【０００５】
従って本発明の目的は、口腔内の健康促進を図ることができ、さらに、口腔内の殺菌を安全に行うことができる口腔洗浄装置を提供することにある。
【課題を解決するための手段】
【０００６】
本発明によれば、口腔洗浄装置は、水を電気分解して水素及び塩素を含有する洗浄水を生成する洗浄水発生部と、この洗浄水発生部で生成した洗浄水を口腔内に噴射させるための洗浄水噴射部とを備えている。洗浄水発生部は、遊離塩素濃度が０．３５ｍｇ／Ｌ（ｐｐｍ）〜１．０ｍｇ／Ｌ（ｐｐｍ）の洗浄水を生成するように構成されている。
【０００７】
生成される洗浄水が水素を含んでおり、塩素の遊離塩素濃度が０．３５ｍｇ／Ｌ〜１．０ｍｇ／Ｌであるため、この洗浄水を口腔内に噴射すれば、水素水による口腔内の歯肉等の健康促進に効果的であり、しかも、口腔内の殺菌を安全かつ効果的に行うことができる。
【０００８】
洗浄水発生部は、溶存水素濃度が略４３０ｐｐｂ以上の洗浄水を生成するように構成されていることが好ましく、略５００ｐｐｂ近傍の洗浄水を生成するように構成されていることがより好ましい。
【０００９】
洗浄水発生部は、電気分解用の水を収容する容器と、容器内に配置された電気分解用の２つの電極と、これら２つの電極に電力を供給する電源部と、この電源部から供給され、電気分解で消費された消費電力を積算する消費電力積算手段と、水の電気分解過程を制御する制御手段とを備えており、消費電力積算手段による積算結果に基づいて、消費電力積算値が予め設定された閾値に到達した際に電気分解動作を停止するように構成されていることが好ましい。
【００１０】
この場合、洗浄水発生部の制御手段は、電気分解動作が停止した後、洗浄水噴射部による洗浄水の噴射を許可するように構成されていることが好ましい。
【００１１】
洗浄水発生部は、電気分解によって適正水素量の洗浄水が生成されたことを表示する表示手段をさらに備えており、制御手段は、消費電力積算手段による積算結果に基づいて、消費電力が予め設定された閾値に到達した際に、表示手段による表示を行うように制御することも好ましい。
【発明の効果】
【００１２】
本発明によれば、このような洗浄水を口腔内に噴射すれば、水素水による口腔内の歯肉等の健康促進に効果的であり、しかも、口腔内の殺菌を安全かつ効果的に行うことができる。
【図面の簡単な説明】
【００１３】
【図１】本発明の一実施形態の口腔洗浄装置における外観の全体構成を概略的に示す斜視図である。
【図２】図１の口腔洗浄装置の電気的構成を示すブロック図である。
【図３】図１の口腔洗浄装置の洗浄水生成動作及び口腔洗浄動作における（Ａ）操作パネルの説明図、並びに（Ｂ）フローチャートをそれぞれ示している。
【図４】図１の口腔洗浄装置の口腔洗浄動作のリズムモードにおける（Ａ）操作パネルの説明図、並びに（Ｂ）フローチャートをそれぞれ示している。
【図５】図１の口腔洗浄装置の口腔洗浄動作のリンスモードにおける（Ａ）操作パネルの説明図、並びに（Ｂ）フローチャートをそれぞれ示している。
【図６】図１の口腔洗浄装置を用い基準の水で洗浄水を製造する際の動作を示す図である。
【図７】図１の口腔洗浄装置を用い異なる水質の水で洗浄水を製造する際の動作を示す図である。
【図８】水素・塩素混合水についての細菌増殖抑制効果を示すグラフである。
【発明を実施するための形態】
【００１４】
図１は本発明の一実施形態の口腔洗浄装置における外観の全体構成を概略的に示しており、図２はこの口腔洗浄装置の電気的構成を示している。
【００１５】
図１に示すように、本実施形態の口腔洗浄装置は、本体１０と、ノズルハンドル１１と、本体１０に充電可能に設けられた電動歯ブラシ１２と、本体１０のホース接続部及びノズルハンドル１１間を連結するホース１３とを備えている。
【００１６】
本体１０は、図２にも示されているように、電気分解用の水を収容する容器１０ａと、この容器１０ａ内に設けられ、電気分解により洗浄水（水素及び塩素）を生成するための洗浄水生成電極１０ｂと、この洗浄水生成電極１０ｂと電気的な接続を行う電極接続機構１０ｃと、容器１０ａから洗浄水を取り出す取水口１０ｄと、取水口１０ｄに連結され、さらにホース１３に連結されたポンプ機構１０ｅと、電源部１０ｇと、電極接続機構１０ｃ、ポンプ機構１０ｅ及び電源部１０ｇに電気的に接続された制御基板１０ｈと、制御基板１０ｈに電気的に接続された操作パネル１０ｉとを備えている。
【００１７】
容器１０ａは、例えば水道水等の水を収容すると共に電気分解された洗浄水を収容するためのものである。この容器１０ａは、脱着可能であり、例えば前面が透明な材質から形成されている。透明な材質を用いることで、収容する水の量を確認でき、また、電気分解による水素生成状態を視認することが容易となる。
【００１８】
洗浄水生成電極１０ｂは、電気分解用の電極（＋電極及び−電極）であり、例えば、白金めっきのチタン材質等からなるものである。本実施形態において、これら電極は、板状又はリング状に形成されており、容器１０ａの下方に配置されている。洗浄水生成電極１０ｂは、電極接続機構１０ｃを介して制御基板１０ｈに電気的に接続されている。
【００１９】
ポンプ機構１０ｅは、一般的な電動ポンプであり、容器１０ａ内の洗浄水を取水口１０ｄを介して吸入し、加圧した洗浄水をホース接続部及びホース１３を介してノズルハンドル１１へ送り出すように構成されている。ポンプ機構１０ｅは、制御基板１０ｈに電気的に接続されており、この制御基板１０ｈによってそのＯＮ／ＯＦＦ及びポンプ出力が制御されるように構成されている。
【００２０】
電源部１０ｇは、制御基板１０ｈに電力を供給すると共に、この制御基板１０ｈを介して洗浄水生成電極１０ｂ及びポンプ機構１０ｅに電力を供給するように構成されている。この電源部１０ｇは、電源コード１０ｆを介して家庭用電源コンセントに接続されている。
【００２１】
操作パネル１０ｉは、制御基板１０ｈに電気的に接続されており、図３（Ａ）、図４（Ａ）及び図５（Ａ）に示すように、洗浄水（水素）生成スイッチ１０ｉ１、ジェット（ｊｅｔ）スイッチ１０ｉ２、ポンプ出力調整スイッチ１０ｉ３、リズムスイッチ１０ｉ４及びリンススイッチ１０ｉ５等からなる種々のスイッチと、これらの図のリズムスイッチ１０ｉ４及びリンススイッチ１０ｉ５間に配置されポンプ出力を点灯表示する発光ダイオード（ＬＥＤ）とを備えている。
【００２２】
ノズルハンドル１１は、洗浄水用の導水ホース及びＯＮ／ＯＦＦ信号用のコードが設けられたホース１３に接続されており、その先端には洗浄水の噴射を行うためノズル１１ａが、その途中にはポンプ機構１０ｅの動作を手元で操作可能なＯＮ／ＯＦＦ手元スイッチ１１ｂが設けられている。
【００２３】
制御基板１０ｈにはマイクロコンピュータが取り付けられており、このマイクロコンピュータは、後述するように、口腔洗浄装置の洗浄水発生部及び洗浄水噴射部の動作をそれぞれ制御するようにプログラムされている。
【００２４】
より詳細に説明すると、このマイクロコンピュータは、例えば、ＣＰＵと、ＲＯＭと、ＲＡＭと、計時手段とを備えている。ＣＰＵはＲＯＭに格納された制御プログラムに従って、ＲＡＭをワークエリアとして使用しながら、口腔洗浄装置１０の全体の動作を制御する。本実施形態において、マイクロコンピュータは、消費電力積算機能を有しており、洗浄水生成電極１０ｂの２つの電極間に印加された電圧及び電流に基づいて、消費電力を計算し、時間累積値を算出し、これを消費電力積算値として出力するように構成されている。電源がオフとされてから所定時間を経過した際には、この消費電力積算機能によって積算した消費電力積算値を０に初期化するように構成することができる。マイクロコンピュータは、さらに、この消費電力積算機能による積算結果に基づいて、消費電力積算値が予め設定された閾値に到達した際に、「適正水素量」の洗浄水が生成されたことの表示を行うと共に、電気分解動作を終了するように制御する。なお、本明細書における「適正水素量」とは、溶存水素濃度及び遊離塩素濃度が適切な範囲にある状態を表している。
【００２５】
図３は本実施形態における口腔洗浄装置の（Ａ）操作パネルの操作並びに（Ｂ）洗浄水生成動作及び口腔洗浄動作を説明しており、図４は本実施形態における口腔洗浄装置の（Ａ）操作パネルの操作並びに（Ｂ）口腔洗浄動作のリズムモードを説明しており、図５は本実施形態における口腔洗浄装置の（Ａ）操作パネルの操作並びに（Ｂ）口腔洗浄動作のリンスモードを説明している。以下、これら図３〜図５を用いて、本実施形態における口腔洗浄装置の動作を説明する。
【００２６】
まず、洗浄水生成動作及び口腔洗浄動作を説明する。図３（Ｂ）に示すように、本実施形態における口腔洗浄装置は、電源に接続してから待機状態にあり（ステップＳ１）、この状態で水素生成スイッチ１０ｉ１がＯＮとなると（ステップＳ２）、洗浄水生成電極１０ｂである２つの電極間の出力を計測して（ステップＳ３）、電気分解動作を開始する（ステップＳ４）。
【００２７】
次いで、電気分解で消費された消費電力を積算し（ステップＳ５）、その積算した消費電力があらかじめ定めた閾値に到達した場合は（ステップＳ６）、「適正水素量」の洗浄水が生成されたことを表示して（ステップＳ７）、電気分解動作を終了する（ステップＳ８）。ここで、「適正水素量」の洗浄水が生成されたことの表示とは、例えば、容器１０ａの下部より白色ＬＥＤなどを点灯させ、容器内を光らせたり、又は水素生成スイッチ１０ｉ１を点灯させたり、その点灯色を例えば緑色（青色）等の適切な色に変えたりするなど、その他の表示を行うことを意味している。
【００２８】
ここで、図６に示すように、電気分解に消費された消費電力積算値の閾値は、例えば、基準水質での「電気伝導度」を「１００」とし、「溶存水素量」を「５００ｐｐｂ」として「適正水素量」表示の閾値を設定したとする。なお、水素生成動作時間は「５分」と設定する。なお、本実施形態においては、消費電力積算値があらかじめ定めた閾値に到達すると、洗浄水の溶存水素濃度が略４３０ｐｐｂ以上の値、望ましくは、略５００ｐｐｂ近傍の値となると共に、洗浄水の遊離塩素濃度が０．３５ｍｇ／Ｌ〜１．０ｍｇ／Ｌの範囲の値となる。
【００２９】
ステップＳ８において、電気分解動作を終了した場合、一定時間内の消費電力の累積（積算値）を記憶しておく（ステップＳ９）。水素生成スイッチ１０ｉ１がその後の一定時間内に再度ＯＮとなると（ステップＳ１０）、累積した消費電力から積算を継続し（ステップＳ１１）、ステップＳ６へ進み、積算した消費電力があらかじめ定めた閾値に到達した場合は、前述したステップＳ６以降の処理を行う。
【００３０】
なお、ステップＳ４において電気分解動作を開始した後、タイマー動作時間内に、積算した消費電力があらかじめ定めた閾値に到達しなかった場合、又は水素生成スイッチ１０ｉ１がＯＦＦとなった場合（ステップＳ１２）は、ステップＳ８へ進んで電気分解動作を終了する。
【００３１】
ステップＳ７において「適正水素量」の洗浄水が生成されたことを表示した場合、電気分解動作が終了した後にもその表示を継続して実施し（ステップＳ１３）、一定時間経過するか（ステップＳ１４）、又は消灯条件を検出した場合（ステップＳ１５）に、その「適正水素量」の表示を消灯する（ステップＳ１６）。
【００３２】
以上の洗浄水生成動作により、容器１０ａ内には、溶存水素濃度が略４３０ｐｐｂ以上の値、望ましくは、略５００ｐｐｂ近傍の値となり、洗浄水の遊離塩素濃度が０．３５ｍｇ／Ｌ〜１．０ｍｇ／Ｌの範囲となった洗浄水が貯留されることとなる。
【００３３】
基準水質と異なる水質の水で洗浄水を生成する例を説明する。図７（Ａ）に示すように、基準水質で「電気伝導度」が「１００」の場合は、電気分解動作を開始した後、溶存水素量が「５００ｐｐｂ」に到達した時、「適正水素量」が表示される。電気分解の動作が５分を経過した時、電気分解動作を終了する。電気分解動作終了後、一定時間を経過した後、この表示を消するように構成されている。
【００３４】
また、図７（Ｂ）に示すように、任意の水質で「電気伝導度」が「２００」の場合は、電気分解動作を開始した後、比較的に短い時間で溶存水素量が「５００ｐｐｂ」に到達し、「適正水素量」が表示される。電気分解動作が５分を経過した時、電気分解動作を終了する。電気分解動作終了後、一定時間を経過した後、表示を消すように構成されている。
【００３５】
また、図７（Ｃ）に示すように、任意の水質で「電気伝導度」が「５０」の場合は、電気分解動作を開始した後、その電気分解の動作が５分を経過した時、電気分解動作を終了する。この場合、一定の時間は消費電力積算値が記憶される。一定の時間内に電気分解の動作が再開された場合、記憶された消費電力積算値から積算する。消費電力積算値がその閾値である溶存水素量が５００ｐｐｂに到達した時、「適正水素量」が表示される。そして、電気分解動作を再開した後、電気分解の動作が５分を経過した時、電気分解動作を終了する。電気分解動作終了後、一定時間を経過した後、表示を消すように構成されている。
【００３６】
以上述べた洗浄水生成動作が終了した後、洗浄水の噴射が可能となる。まず、ジェット（ｊｅｔ）スイッチ１０ｉ２がＯＮとなると（ステップＳ１７）、ポンプ機構１０ｅのポンプが動作を開始し（ステップＳ１８）、洗浄水の噴射が行われる。その後、ジェット（ｊｅｔ）スイッチ１０ｉ２がＯＦＦとなると（ステップＳ１９）、ポンプ動作を停止し（ステップＳ２０）、ステップＳ１の待機状態となる。
【００３７】
一方、ステップＳ１７においてジェット（ｊｅｔ）スイッチ１０ｉ２がＯＮとなると、その時のポンプ出力が記憶される（ステップＳ２１）。また、ステップＳ１８においてポンプが動作を開始すると、ポンプ出力調整スイッチ１０ｉ３によるポンプ出力の調整（５段階調整）が可能となる（ステップＳ２２）。ステップＳ１８においてポンプが動作を開始した後、一定時間経過すると（ステップＳ２３）、ポンプが自動的に停止する（ステップＳ２４）。
【００３８】
次に、口腔洗浄動作のリズムモードにおける動作を説明する。なお、洗浄水生成動作により、容器１０ａ内には、溶存水素濃度が略４３０ｐｐｂ以上の値、望ましくは、略５００ｐｐｂ近傍の値となり、洗浄水の遊離塩素濃度が０．３５ｐｐｍ〜１．０ｐｐｍの範囲となった洗浄水が貯留されているものとする。図４（Ｂ）に示すように、本実施形態における口腔洗浄装置は、電源に接続してから待機状態にあり（ステップＳ３０）、この状態でリズムスイッチ１０ｉ５がＯＮとなると（ステップＳ３１）、ポンプ機構１０ｅのポンプが動作を開始する（ステップＳ３２）。このモードでは、全体としてのポンプ出力は自体は一定であるが、洗浄水は種々のリズムで噴出される。
【００３９】
その後、リズムスイッチ１０ｉ５がＯＦＦとなると（ステップＳ３３）、ポンプ動作を停止し（ステップＳ３４）、ステップＳ３０の待機状態となる。ステップＳ３２においてポンプが動作を開始した後、一定時間経過すると（ステップＳ３５）、ポンプが自動的に停止する（ステップＳ３６）。
【００４０】
次に、口腔洗浄動作のリンスモードにおける動作を説明する。なお、洗浄水生成動作により、容器１０ａ内には、溶存水素濃度が略４３０ｐｐｂ以上の値、望ましくは、略５００ｐｐｂ近傍の値となり、洗浄水の遊離塩素濃度が０．３５ｐｐｍ〜１．０ｐｐｍの範囲となった洗浄水が貯留されているものとする。図５（Ｂ）に示すように、本実施形態における口腔洗浄装置は、電源に接続してから待機状態にあり（ステップＳ４０）、この状態でリンススイッチ１０ｉ４がＯＮとなると（ステップＳ４１）、ポンプ機構１０ｅのポンプが動作を開始する（ステップＳ４２）。このモードでは、全体としてのポンプ出力は自体は一定である。
【００４１】
その後、タイマー制限時間を経過したか、又は規定する吐水水量の噴出が行われたかいずれかを検出すると（ステップＳ４３）、ポンプ動作を停止し（ステップＳ４４）、ステップＳ４０の待機状態となる。ステップＳ４２においてポンプが動作を開始した後、リンススイッチ１０ｉ４がＯＦＦとなると（ステップＳ４５）、ポンプが動作停止する（ステップＳ４４）。
【００４２】
以上説明したように、本実施形態によれば、電気分解における消費電力積算値が予め設定された閾値に到達した際に電気分解を停止し、これにより、溶存水素濃度が略４３０ｐｐｂ以上の値、望ましくは、略５００ｐｐｂ近傍の値となり、洗浄水の遊離塩素濃度が０．３５ｍｇ／Ｌ〜１．０ｍｇ／Ｌの範囲となった洗浄水を得ることができる。このような洗浄水を口腔内に噴射すれば、水素水による口腔内の歯肉等の健康促進に効果的であり、しかも、口腔内の殺菌を効果的に行うことができる。
【実施例】
【００４３】
上述した実施形態の口腔洗浄装置と同様の構成を有する試験用口腔洗浄装置を用い、電気伝導度が互いに異なる種々の水道水（Ａ水道水、Ｂ水道水、Ｃ水道水、Ｄ水道水）について、電気分解を実際に行うことにより、洗浄水を生成した。電極間の印加電圧は１６Ｖ、供給電流は０．５Ａであった。電気分解時間は１分、３分及び５分とした。この場合の消費電力積算値、生成した洗浄水の溶存水素量（電気分解直後）、及び生成した洗浄水の遊離塩素量（電気分解直後）を一般的な溶存水素測定機及び遊離塩素測定機でそれぞれ測定した。その測定結果を表１に示す。
【００４４】
【表１】
2020092862.tif 000003
【００４５】
表１の測定結果から、消費電力積算値が２４Ｗ・Ｍｉｎ以上であれば、Ａ水道水では溶存水素量が４７９ｐｐｂ以上、遊離塩素量が０．３７ｍｇ／Ｌ以上となっており、Ｂ水道水では溶存水素量が４６０ｐｐｂ以上、遊離塩素量が０．６８ｍｇ／Ｌ以上となっており、Ｃ水道水では溶存水素量が５９４ｐｐｂ以上、遊離塩素量が０．２７ｍｇ／Ｌ以上となっており、Ｄ水道水では溶存水素量が４２８ｐｐｂ以上、遊離塩素量が０．５４ｍｇ／Ｌ以上となっていることが分かる。なお、表１においては、Ｃ水道水の電力積算値２４Ｗ・Ｍｉｎにおける遊離塩素量が０．２７ｍｇ／Ｌとなっているが、電気分解終了後１０分の遊離塩素量は０．３４ｍｇ／Ｌとなっている。従って、溶存水素量が４２８ｐｐｂ以上（略４３０ｐｐｂ以上）となるように消費電力積算値を制御すること、特に溶存水素濃度が５００ｐｐｂ近傍の値となるように制御することが望ましい。
【００４６】
洗浄水の溶存水素濃度が５００ｐｐｂ近傍の値となり、遊離塩素濃度が０．３５ｍｇ／Ｌ〜１．０ｍｇ／Ｌの範囲の値となることによって、安全性及び細菌増殖抑制効果が得られることを検証した。
【００４７】
安全性については、溶存水素濃度が０ｐｐｂ、３００ｐｐｂ、５００ｐｐｂ、７００ｐｐｂ、及び９００ｐｐｂである試験水サンプルを作製し、細胞傷害性を評価するために、マイクロプレートリーダ又は分光光度計により、４５０ｎｍの吸光度（濁度）を測定した。その結果、０ｐｐｂの試験水サンプルと比較し、３００ｐｐｂ、７００ｐｐｂの試験水サンプルでは顕著に細胞活性値が下がっていたが、５００ｐｐｂの試験水サンプルでは大きな差は見られず、９００ｐｐｂの試験水サンプルは低い吸光度を示す傾向にあったが、大きな差は見られなかった。
【００４８】
細菌増殖抑制効果については、上述した試験用口腔洗浄装置を用い、滅菌水について、電気分解を互いに異なる時間で行うことにより、溶存水素濃度及び遊離塩素濃度が互いに異なる水素・塩素混合水を生成した。さらに、塩素濃度の調整を行うために次亜塩素酸ナトリウムを適宜添加し、試験水サンプルａ〜ｆを用意した。
【００４９】
これら試験水サンプルについて、マイクロプレートリーダ又は分光光度計により、６００ｎｍの吸光度（濁度）を測定した。その測定結果が図８に示されている。ただし、同図において、横軸は培養時間（時間）であり、縦軸は濁度（ＯＤ６００）である。また、試験水サンプルａ〜ｆは以下の通りである。試験水サンプルａ：塩素濃度がほぼ０の水素・塩素混合水、試験水サンプルｂ：水道水、試験水サンプルｃ：市販の薬用洗口液（リステリン（登録商標））、試験水サンプルｄ：溶存水素濃度が５００ｐｐｂ及び遊離塩素濃度が０．３５ｍｇ／Ｌの水素・塩素混合水、試験水サンプルｅ：溶存水素濃度が５００ｐｐｂ及び遊離塩素濃度が０．６ｍｇ／Ｌの水素・塩素混合水、試験水サンプルｆ：溶存水素濃度が５００ｐｐｂ及び遊離塩素濃度が１．０ｍｇ／Ｌの水素・塩素混合水である。
【００５０】
同図から分かるように、試験水サンプルｄ〜ｆは、培養３時間後もＯＤ６００が非常に低く、細菌増殖の抑制効果が高いことが確認された。特に、試験水サンプルｆは、培養９時間後もＯＤ６００が低く、細菌増殖の抑制効果が非常に高いことが確認された。
【００５１】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００５２】
１０  本体
１０ａ  容器
１０ｂ  洗浄水生成電極
１０ｃ  電極接続機構
１０ｄ  取水口
１０ｅ  ポンプ機構
１０ｆ  電源コード
１０ｇ  電源部
１０ｈ  制御基板
１０ｉ  操作パネル
１０ｉ１  洗浄水（水素）生成スイッチ
１０ｉ２  ジェット（ｊｅｔ）スイッチ
１０ｉ３  ポンプ出力調整スイッチ
１０ｉ４  リズムスイッチ
１０ｉ５  リンススイッチ
１１  ノズルハンドル
１１ａ  ノズル
１１ｂ  ＯＮ／ＯＦＦ手元スイッチ
１２  電動歯ブラシ
１３  ホース
【図１】
2020092862.tif 000004
【図２】
2020092862.tif 000005
【図３】
2020092862.tif 000006
【図４】
2020092862.tif 000007
【図５】
2020092862.tif 000008
【図６】
2020092862.tif 000009
【図７】
2020092862.tif 000010
【図８】
2020092862.tif 000011